(57)【要約】      （修正有）【課題】小型、軽量で運搬可能な各種の振動を測定、記録する振動測定器を提供する。【解決手段】小型の函体内に、三軸加速度センサーと、その振動波形の演算処理を行うＣＰＵと、ＳＤカードを装着、具備したことを特徴とする。【選択図】図１
0003159705.tif 000002
【実用新案登録請求の範囲】
【請求項１】
搬入可能な小型の函体内に、三軸加速度センサーと、その振動波形演算処理を行うＣＰＵと、ＳＤカードを装着、具備したことを特徴とする振動測定器。
【考案の詳細な説明】
【技術分野】
【０００１】  この考案は、各種の振動を測定、記録する振動測定器に関するものである。
【背景技術】
【０００２】  直下型の地震あるいは震源地から比較的距離の遠い地震などに備えて、重要な設備・施設・装置・機器などに、直接、配備される上下動を感知するＰ波地震感知器や水平動を感知するＳ波地震感知器がある。また大地震対策として地震感知速報システム、地震感知器は普及されつつあるが、それらは比較的大型であり、またそれらの不報、誤報、誤作動、さらには不作動なども伴って、現在、正確な地震対策としては研究の余地が残されている。さらに一般に各種の振動、たとえば車両の振動、鉄道の揺れ、建物の振動、エレベーターの乗り心地などの振動を測定しそれを知ることは、これらの設備機器の安全、保守などに必要であり、これらに適切に対応する機器が求められている現状にある。
【考案の概要】
【考案が解決しようとする課題】
【０００３】  この考案は、各種の振動、例えば、地震動による振動、各種機械の振動、車両の振動、航空機の振動、橋梁振動、鉄道の揺れ、建物の振動、エレベーターの乗り心地などの振動の測定、記録に関する機器で、振動の発生する現場に測定器本体を配置しておき、振動測定で得たデータをＳＤカードに記録し、それを持ち帰って手許のパソコンに接続することによって、振動の大きさ、波形解析、測定値を知ることのできる振動測定器を得ることを目的とする。
【課題を解決するための手段】
【０００４】  搬入可能な小型の函体内に、三軸加速度センサーと、その振動波形の演算処理を行うＣＰＵと、ＳＤカードを装着、具備したことを特徴とする振動測定器の構成とする。この振動測定器の測定器本体だけを振動発生箇所に置いておけば、発生した振動はＳＤカードに記録され、それを離れて置くパソコンに接続すれば、そこで波形解析を行うことができる。
【考案の効果】
【０００５】  この考案の振動測定器は、各種の振動、例えば、地震動による振動、各種機械の振動、車両の振動、航空機の振動、橋梁振動、鉄道の揺れ、建物の振動、エレベーターの乗り心地などの振動の測定、記録に関する機器で測定して、振動の発生する現場に測定器本体を配置しておき、振動測定で得たデータをＳＤカードに記録し、それを持ち帰って手許のパソコンに接続することによって、振動の大きさ、波形解析、測定値を知ることのできるところの、小型、軽量で運搬可能で便利な振動測定器となる。
【図面の簡単な説明】
【０００６】
【図１】この考案の振動測定器の回路図。
【図２】この考案の振動測定器の外形を説明する図。
【図３】この考案の振動測定器の外形を説明する図。
【図４】この考案の振動測定器と、離れて配置されるパソコンとの関連を説明する図。
【考案を実施するための形態】
【０００７】  搬入可能な小型の函体（Ａ）内に、三軸加速度センサー（３）とその振動波形の演算処理を行うＣＰＵ（１）と、ＳＤカード（Ｃ）を装着、具備したことを特徴とする振動測定器（Ｍ）。
【実施例】
【０００８】  図１に示すのは、この考案の振動測定器（Ｍ）の回路ブロック図であり、この振動測定器（Ｍ）の後述する函体（Ａ）内において、電池駆動などで常時、Ｘ、Ｙ、Ｚ方向［水平直交二軸、鉛直一軸］の振動を測定して記録し、その波形演算処理を行うＣＰＵ（１）を中心に、電源安定化のためのレギュレータ（２）、三軸加速度センサー（３）、周波数制限回路のアナログフィルタ（４）が接続され、また前記のＣＰＵ（１）には、記録を取り出すＳＤカード（Ｃ）が装着・挿入されるようになっており［後述図４参照］、さらに外部取り出し端子のＵＳＢポート（１１）が設けられている。これらの構成素子部品は、後述の函体（Ａ）内に格納、内蔵される。【０００９】  図２（ａ）〜（ｃ）、図３は、振動測定器（Ｍ）の函体（Ａ）の外観を示す図であり、凡その寸法は横幅７５０ｍｍ、縦幅９００ｍｍ、厚さ３５０ｍｍ程度の四角形の函体形状からなる。図２（ａ）はその上面図を示し、図２（ｂ）は図２（ａ）の上側面図、図２（ｃ）は同下側面図、図３は右側面図［図示の無い左側面は同様である］である。この図３において（５）はカバーフレーム、（６）はパネルフレーム、（７）はパネル、（８）は電池ボックスである。そして図２（ａ）にみるように電池ボックス（８）は電池収納部となり、また記録開始スイッチ（９）が設けられている。【００１０】  さらにまた図２（ｂ）において示すように、ＵＳＢポート（１１）、前記ＳＤカード（Ｃ）を插し込むところの、ＳＤカードスロット（１２）が設けられ、図２（ｃ）において示すように、ここにおいてＤＣジャック（Ｊ）、電源スイッチ（ＳＷ）、ＬＰＦ切り替えスイッチ（１０）などが設けられている。【００１１】  図４は離れて存在する手許のパソコン（ＰＣ）と、この考案の振動測定器（Ｍ）と、そこに装着、挿入され、取り出されるＳＤカード（Ｃ）との操作処理状態を説明する図である。【００１２】  ここにおいて振動測定器（Ｍ）の測定器本体だけを振動発生箇所に置いておけば、発生した振動はＳＤカード（Ｃ）に記録される。またこのＳＤカード（Ｃ）を、図４に示すように離れて置くパソコン（ＰＣ）に装着すれば、そこで波形解析を行うことができる。すなわちこの波形解析は現場から持ち帰ったＳＤカード（Ｃ）のデータを再現でき、測定データで報告書作成に利用可能となる。振動波形解析プログラムのソフトウエアとしては、適宜のものを選定する。なおまた現場付近でパソコンにコードで繋いで見ることもできる。
【産業上の利用可能性】
【００１３】  この考案の振動測定器は、各種の振動、例えば、地震動による振動、各種機械の振動、車両の振動、航空機の振動、橋梁振動、鉄道の揺れ、建物の振動、エレベーターの乗り心地などの振動の測定、記録において、振動の発生する現場に、この測定器本体を配置しておき、振動を検知し測定で得たデータをＳＤカードに記録し、それを持ち帰って手許のパソコンに接続することによって、振動の大きさ、波形解析、測定値などを知ることのできるところの、小型軽量で運搬可能であり、便利な振動測定器として実用価値の高い器具となる。
【符号の説明】
【００１４】  （Ａ）函体
（Ｍ）振動測定器
（Ｃ）ＳＤカード
（１）ＣＰＵ
（２）レギュレータ
（３）三軸加速度センサー
（４）アナログフィルタ
（５）カバーフレーム
（６）パネルフレーム
（７）パネル
（８）電池ボックス
（９）記録開始スイッチ
（１０）ＬＰＦ切り替えスイッチ
（１１）ＵＢＳポート
（１２）ＳＤカードスロット
（ＳＷ）電源スイッチ
（Ｊ）ＤＣジャック
（ＰＣ）パソコン
【図１】
0003159705.tif 000003
【図２】
0003159705.tif 000004
【図３】
0003159705.tif 000005
【図４】
0003159705.tif 000006
【手続補正書】
【提出日】平成22年3月5日(2010.3.5)
【手続補正１】
【補正対象書類名】実用新案登録請求の範囲
【補正対象項目名】全文
【補正方法】変更
【補正の内容】
【実用新案登録請求の範囲】
【請求項１】
小型の函体内に、三軸加速度センサーと、その振動波形演算処理を行うＣＰＵと、ＳＤカードを装着、具備したことを特徴とする振動測定器。